(57)【要約】      （修正有）【課題】噴出パターンの安定した噴出ヘッドを提供する。【解決手段】ステム38に嵌合して内容液Mの導入路1が形成された押圧部材50と、押圧部材50側面の窪み50nに嵌合して内容液Mの噴出口60aが形成されたノズルチップ60と、導入路1を噴出口に通じさせる連絡路3をチップとの間に形成する挿入部材70を備え、挿入部材70は、その後端70bに内容液Mの充填空間R3を形成する凹部70nと、この凹部70nを形作る周壁72に形成された単一の貫通孔73と、貫通孔73からチップ60に向かって伸びる長溝74とを有する。挿入部材の前端70aの外周縁は、先細りの環状の傾斜面75に形成されているとともに、当該傾斜面75よりも前端70aを前方に突出させて膨出部71aを形成して複数の放射溝76とともに放射溝76が合流する円筒溝77を形成し、貫通孔73が、放射溝76に対して周方向にオフセットした位置に配置されている。【選択図】図２
2014091062.tif 000002
【特許請求の範囲】
【請求項１】
容器本体の口筒部から起立するステムに嵌合して内容物が導入される導入路が形成された押圧部材と、当該押圧部材の側面に形成された窪みに嵌合して導入路から圧送された内容液の噴出口が形成されたノズルチップと、ノズルチップの内側に配置されて押圧部材の導入路をノズルチップの噴出口に通じさせる連絡路を形成する挿入部材とを備え、
当該挿入部材は、押圧部材と向かい合う後端に開口部を形成して導入路からの内容液が充填される充填空間を形成する凹部と、この凹部を形作る周壁に形成された単一の貫通孔と、この貫通孔からノズルチップに向かって伸びる周壁に形成された長溝とを有し、
当該挿入部材のノズルチップと向かい合う前端の外周縁が先細りの環状の傾斜面に形成されているとともに、当該傾斜面よりも前記前端を前方に突出させて膨出部を形成して当該膨出部に複数の放射溝とともに当該放射溝が合流する円筒溝を形成し、さらに、前記貫通孔が、前記放射溝に対して周方向にオフセットした位置に配置されたものである噴出ヘッド。
【請求項２】
請求項１において、前記貫通孔が、挿入部材の内側から外側に向かって拡径する傾斜孔である噴出ヘッド。
【請求項３】
請求項１又は２において、前記導入路は、上方の位置に開口部を形成して、当該開口部を通して充填空間に通じるものである噴出ヘッド。
【請求項４】
請求項１乃至３のいずれか１項において、前記窪みに、複数の放射溝とともに当該放射溝が合流する円筒溝を形成する複数の隆起部を設け、当該隆起部に挿入部材を突き当てることで前記導入路を前記連絡路に通じさせる案内路を形成する噴出ヘッド。
【請求項５】
請求項１乃至４のいずれか１項に記載の噴出ヘッドと、当該噴出ヘッドを嵌合させるステムを有するポンプを備える容器本体とからなる、噴出ヘッドを備える容器。
【発明の詳細な説明】
【技術分野】
【０００１】
本発明は、ステムを固定する内部通路を有し当該ステムを上下動させることで、ステムからの内容物を外界に噴出させる噴出ヘッドに関するものである。
【背景技術】
【０００２】
本願出願人は、既に従来の噴出ヘッドとして、容器内に配置されたポンプを駆動させる押圧部材に挿入部材を内蔵したノズルチップを固定し、このノズルチップに設けられた開孔を通して内容物を噴出させるものを提案済みである（例えば、特許文献１参照）。
【先行技術文献】
【特許文献】
【０００３】
【特許文献１】特開２０１１−１７７６２７号公報
【発明の概要】
【発明が解決しようとする課題】
【０００４】
しかしながら、本願発明者は、更なる試験・研究の結果、上記噴出ヘッドについても、更に改善の余地があることを認識するに至った。
【０００５】
本発明の目的とするところは、噴出パターンの安定した噴出ヘッドを提供することにある。
【課題を解決するための手段】
【０００６】
本発明の噴出ヘッドは、容器本体の口筒部から起立するステムに嵌合して内容物が導入される導入路が形成された押圧部材と、当該押圧部材の側面に形成された窪みに嵌合して導入路から圧送された内容液の噴出口が形成されたノズルチップと、ノズルチップの内側に配置されて押圧部材の導入路をノズルチップの噴出口に通じさせる連絡路を形成する挿入部材とを備え、
当該挿入部材は、押圧部材と向かい合う後端に開口部を形成して導入路からの内容液が充填される充填空間を形成する凹部と、この凹部を形作る周壁に形成された単一の貫通孔と、この貫通孔からノズルチップに向かって伸びる周壁に形成された長溝とを有し、
当該挿入部材のノズルチップと向かい合う前端の外周縁が先細りの環状の傾斜面に形成されているとともに、当該傾斜面よりも前記前端を前方に突出させて膨出部を形成して当該膨出部に複数の放射溝とともに当該放射溝が合流する円筒溝を形成し、さらに、前記貫通孔は、前記放射溝に対して周方向にオフセットした位置に形成されたものである。
【０００７】
また前記貫通孔は、同径の貫通孔することができることは勿論、挿入部材の内側から外側に向かって拡径する傾斜孔とすることもできる。
【０００８】
また前記導入路は、その開口部を様々な位置に形成することができ、例えば、上方の位置に開口部を形成して、当該開口部を通して充填空間に通じるものとすることができる。
【０００９】
さらに、本発明によれば、前記窪みに、複数の放射溝とともに当該放射溝が合流する円筒溝を形成する複数の隆起部を設け、当該隆起部に挿入部材を突き当てることで前記導入路を前記連絡路に通じさせる案内路を形成することができる。
【００１０】
また、本発明は、上記噴出ヘッドと、当該噴出ヘッドを嵌合させるステムを有するポンプを備える容器本体とからなる、噴出ヘッドを備えるポンプ容器である。
【発明の効果】
【００１１】
本発明によれば、ノズルチップの内側に挿入部材を配置して噴出口に通じる流路を形成するとともに、当該挿入部材の周壁に形成した貫通孔が、挿入部材の前端に形成した放射溝に対して周方向にオフセットした位置に配置されて、互いの位置を軸線に沿った直線を挟んでずらしたことで、霧の状態や噴霧角度等によって規定される噴出パターンを従来と比較して、更に安定させることができる。
【図面の簡単な説明】
【００１２】
【図１】本発明の一実施形態である噴霧ノズルを備えたポンプ付ボトル容器を一部断面で示す側面図である。
【図２】同形態に係る噴霧ノズルを示す拡大断面図である。
【図３】本実施形態に係る押圧部材の側面に形成された窪みを示す拡大正面図である。
【図４】（ａ）は、本実施形態に係る挿入部材を示す正面図であり、（ｂ）は、（ａ）のＢ−Ｂ断面図である。
【図５】（ａ）は、同挿入部材を示す側面図であり、（ｂ）は、同挿入部材を示す斜視図である。
【図６】一部仮想的に示す図２のＡ−Ａ断面図である。
【図７】本実施形態に係るノズルチップと挿入部材との間を通過する内容液の経路（流路）を模式的に示す斜視図である。
【図８】（ａ）は、本実施形態に係る、噴霧ヘッドを用いて噴霧を行ったときの状態を模式的に示す図であり、（ｂ）は、従来の噴霧ヘッドを用いて噴霧を行ったときの状態を示す図である。
【発明を実施するための形態】
【００１３】
以下、図面を参照して、本発明である、噴霧ヘッドを備えるポンプ付ボトル容器の一実施形態を詳細に説明する。
【００１４】
図１中、符号１０は、本発明の一実施形態である噴霧ヘッドＨを備えるポンプ付ボトル容器である。符号２０は、容器本体である。容器本体２０は、口筒部２１が肩部２２を介して胴部２３に繋がるボトルタイプの容器である。容器本体２０の内部には、内溶液Ｍが充填されている。
【００１５】
容器本体２０には、ポンプユニット３０が固定されている。ポンプユニット３０は、口筒部２１の内側に配置される第１シリンダ３１を有する。第１シリンダ３１は、装着キャップ３２を介して口筒部２１の内側に吊下げ保持される。装着キャップ３２は、口筒部２１に固定手段Ｃ1によって固定されている。固定手段Ｃ1は、例えば図示のとおり、螺合手段として構成することができる。但し、本発明に従えば、固定手段Ｃ1は、螺合手段に限定されるものではない。また、符号３３は、口筒部２１と第１シリンダ３１との間を密封する環状のシール部材である。
【００１６】
第１シリンダ３１には、容器本体２０内に通じる吸入パイプＰが固定されている。吸入パイプＰから吸入された内容液Ｍは、逆止弁Ｖ1を介して第１シリンダ３１の内部に導入される。また、第１シリンダ３１の内部には、スプリング３４を介してポンププランジャ３５が弾性支持されている。
【００１７】
ポンププランジャ３５は、プランジャ本体３５ａを有する。プランジャ本体３５ａは、第１ピストン３５ｂ及び第２ピストン３５ｃを有する。第１ピストン３５ｂ及び第２ピストン３５ｃは、プランジャ本体３５ａの周りに間隔を置いて配置される複数のリブ３５ｄを介して一体に連結されている。第１ピストン３５ｂは、第１シリンダ３１との間に第１ポンプ室Ｒ1を形成する。第１シリンダ３１の上端開口部は、第２シリンダ３６によって密封されている。第２シリンダ３６の上端開口部は、シリンダキャップ３７によって密封されている。シリンダキャップ３７は、第２シリンダ３６との間に第２ピストン３５ｃを収納する空間を形成する。さらに、第２ピストン３５ｃは、シリンダキャップ３７との間に第２ポンプ室Ｒ2を形成する。第２ポンプ室Ｒ2は、ポンププランジャのリブ３５ｄの相互間に形成された隙間を通して第１ポンプ室Ｒ1に通じる。更に、シリンダキャップ３７には、第１ポンプ室Ｒ1及び第２ポンプ室Ｒ2を外界に通じさせる上端開口部Ａ1が形成されている。上端開口部Ａ1は、プランジャ本体の先端部３５ａ1によって開閉させることができる。このため、プランジャ本体の先端部３５ａ1は、逆止弁（排出弁）として機能する。
【００１８】
加えて、シリンダキャップ３７には、上端開口部Ａ1を取り囲むように、ステム３８が設けられている。ステム３８の内側には、メッシュリング４０が配置されている。図２に示すように、メッシュリング４０は、リング部材４１の一端にメッシュ部材４２を貼り合わせることにより構成されている。メッシュリング４０は、ステム３８の内側に複数個配置することができる。更に、メッシュリング４０は省略することもできる。
【００１９】
符号Ｈは、ポンプユニット３０を構成する噴霧ヘッドである。噴霧ヘッドＨは、使用者が操作する押圧部材５０を有する。押圧部材５０は、円筒形の外観を有してその上端が押圧面５０ｆとして構成されている。また、押圧部材５０の下端内側には、筒体部５１が一体に設けられている。筒体部５１は、ステム３８の内側に嵌合保持される。更に、押圧本体５０の内側には、メッシュリング４０を通して圧送された内容液Ｍが導入される導入路１が形成されている。導入路１は、筒体部５１の下端内側に開口部を有してポンプ軸線Ｏ1に沿って伸びる縦方向流路１ａと、この流路１ａから押圧部材５０の側面に向かって伸びる前後方向流路１ｂからなる。前後方向流路１ｂは、押圧部材５０の側面に形成された窪み５０ｎに通じる。
【００２０】
図３には、窪み５０ｎを正面から示す。窪み５０ｎは、円筒形に形作られている。窪み５０ｎは、平坦な隔壁５３を有して、この隔壁５３に複数の隆起部５５が一体に設けられている。隆起部５５は、窪み５０ｎの内周面５４から窪み５０ｎの中心Ｏ2に向かって伸びている。前後方向流路１ｂの開口部Ａ2は、窪み５０ｎのうち、押圧面５０ｆに向かって上方の位置に形成されている。また、開口部Ａ2の両側には、同図に示すように、隔壁５３に繋がる段差面５６が形成されている。
【００２１】
次いで、図２中、符号６０は、窪み５０ｎに固定されるノズルチップである。ノズルチップ６０は、噴出口６０ａが形成された仕切壁６１を有し、この仕切壁６１に繋がる周壁６２によって、その内側に窪みが形作られている。ノズルチップ６０は、その周壁６２が窪み５０ｎに固定される。詳細には、ノズルチップ６０は、その周壁６２を窪み５０ｎの内周面５４に固定部Ｃ2によって固定される。固定部Ｃ2としては、例えば、図示のように、環状溝と環状突起で構成することができる。また、周壁６２には、窪み５０ｎの内周面５４を密封する環状のシール部６３が設けられている。窪み５０ｎの内周面５４は、ノズルチップ６０によって密封されている。これにより、窪み５０ｎの開口部は、ノズルチップの仕切壁６１によって密封状態に閉じられる。
【００２２】
符号７０は、ノズルチップ６０の内側に配置されて押圧部材５０の導入路１を噴出口６０ａに通じさせる連絡路３を形成する挿入部材である。挿入部材７０は、図２に示すように、ノズルチップの仕切壁６１の内側に合さる隔壁７１を有し、この隔壁７１に繋がる周壁７２によって、その内側に凹部７０ｎが形作られている。
【００２３】
凹部７０ｎの開口部は、押圧部材５０と向かい合うように挿入部材７０の後端７０ｂに形成されている。後端７０ｂは、押圧部材５０に設けられた３つの隆起部５５に接触することで、隔壁５３との間に、隆起部５５を案内として中心Ｏ2に向かう隙間を形成する（図７参照）。また、挿入部材７０の周壁７２は、図２に示すように、固定手段Ｃ3によってノズルチップの周壁６２の内側に固定される。固定手段Ｃ3としては、例えば図示のように、ノズルチップの周壁６２の内周面を挿入部材の周壁７２で密封することを目的とした圧入嵌合が挙げられる。挿入部材の凹部７０ｎは、押圧部材の窪み５０ｎにノズルチップ６０とともに固定することで、隔壁５３との間に、導入路１の開口部Ａを凹部７０ｎに通じさせる案内路２が形成される。これにより、凹部７０ｎは、案内路２を介して導入された内容液Ｍを充填する充填空間Ｒ3として機能する。なお、本実施形態では、周壁７２の内周面には、挿入部材の後端７０ｂ側に環状溝７８が形成されている。この環状溝７８は、その断面形状が半円形状で構成されている。また、充填空間Ｒ3の断面形状は、図６に示すように、円形の外観形状の一部が弦としてなる円弧形状で構成されている。但し、本発明に従えば、充填空間Ｒ3の断面形状は、円形などの様々な形状を適用することができ、これに限定されるものではない。
【００２４】
一方、周壁７２には、凹部７０ｎを外界に通じさせる単一の貫通孔７３が形成されている。貫通孔７３は、図２に示すように、挿入部材７０の内側から外側に向かって拡径する傾斜孔である。なお、本発明に従えば、貫通孔７３は、挿入部材７０の内側から外側に向かって同径の貫通孔することができる。また、周壁７２には、貫通孔７３からノズルチップ６０に向かって伸びる長溝７４が形成されている。ここで、周壁７２は、上述のとおり、ノズルチップの周壁６２の内周面を密封する。このため、挿入部材の長溝７４は、ノズルチップの周壁６２との間に、貫通孔７３を第１連絡路３ａとして、充填空間Ｒ3に通じる第２連絡路３ｂを形成する。
【００２５】
また、挿入部材７０は、そのノズルチップ６０と向かい合う前端７０ａが平坦面で構成されている。加えて、前端７０ａの外周縁は、先細りの環状の傾斜面７５に形成されている。更に、前端７０ａは、傾斜面７５よりも前方に突出させて膨出部７１ａを形成する。これにより、傾斜面７５は、ノズルチップ６０との間に中心Ｏ2を周回する環状の第３連絡路３ｃを形成する。第３連絡路３ｃは、第２連絡路３ｂからの内容液Ｍを中心Ｏ2周りに分流させる（図７参照）。
【００２６】
更に、膨出部７１ａには図４（特に、図５（ａ））に示すように、中心Ｏ2周りに間隔を置いて３つの放射溝（スピン溝）７６が形成されているとともに、中心Ｏ2には、放射溝７６が合流する円筒溝７７が形成されている。本実施形態では、放射溝７６は、図４(a)に示すように、中心Ｏ2周りを円筒溝７７に向かって先細りするように傾斜してなる。また、放射溝７６は、図５（特に、図５（ｂ））に示すように、長溝７４に対して周方向にオフセットした位置に形成されている。これにより、長溝７４は、放射溝７６に対して周方向に迂回するように配置される。但し、本発明に従えば、放射溝７６は、長溝７４に対して周方向に整列する位置に形成することもできる。この場合、長溝７４は、放射溝７６に対して周方向に迂回することなく、直接連通させることができる。図２に示すように、前端７０ａは、ノズルチップの仕切壁６１に接触して仕切壁６１との間を密封する。これにより、放射溝７６は、仕切壁６１との間に、環状の第３連絡路３ｃからの内容液Ｍが導入される３つの第４連絡路３ｄを形成し、円筒溝７７は、各第４連絡路３ｄからの内容液Ｍが導入される第５連絡路３ｅを形成する。第５連絡路３ｅは、噴出口６０ａを介して外界に通じる合流空間Ｒ4として機能する。なお、本実施形態では、第５連絡路３ｅは、ノズルチップの仕切壁６１に凹み６４を形成することで、この凹み６４とともに形成されている。
【００２７】
本実施形態は、図１を参照すると、従来と同様、噴霧ノズルＨの押し下げ及び復帰の繰り返しによって、容器本体２０の内容液Ｍは、ポンプ室Ｒ1およびポンプ室Ｒ2に吸引して加圧された後、ステム３８内の上端開口部Ａ1がプランジャ本体の先端部３５ａ1によって開放されることで、上端開口部Ａ1を通してメッシュリング４０に圧送される。メッシュリング４０を通過した内容液Ｍは高い圧力を保ったままとなる。
【００２８】
次いで、図２を参照すると、内容液Ｍは、導入路１を通って案内路２に圧送されて、充填空間Ｒ3に導入される。充填空間Ｒ3に導入された内容液Ｍは、第１連絡路３ａ（貫通孔７３）から第２連絡路３ｂ（長溝７４）を通って第３連絡路３ｃ（環状の傾斜面７５）に導入される。第３連絡路３ｃに導入された内容液Ｍは、この第３連絡路３ｃに沿って二手に分かれて、当該第３連絡路３ｃ周りを旋回する。このとき、第３連絡路３ｃに導入された内容液Ｍは、３つの第４連絡路３ｄからそれぞれ、第５連絡路３ｅに導入される。このとき、第４連絡路３ｄに導入された内容液Ｍは、第４連絡路３ｄをスピン流路とする旋回流として第５連絡路３ｅに導入されることで、噴出口６０ａを通して外界に噴霧される。
【００２９】
すなわち、ノズルチップ６０と挿入部材７０との間に形成された連絡路３は、第１連絡路３ａ（貫通孔７３）、第２連絡路３ｂ（長溝７４）、第３連絡路３ｃ（環状の傾斜面７５）、第４連絡路３ｄ（放射溝７６）及び第５連絡路３ｅ（円筒溝７７）で構成される。かかる構成によれば、図８（ａ）に示すように、霧の状態や噴霧角度等によって規定される噴射パターンが、図８（ｂ）に示す従来との比較からも明らかなように、更に安定したものとなる。
【００３０】
特に、本実施形態では、図７に示すように、第２連絡路３ｂが第４連絡路３ｄに対して周方向にオフセットされた位置に配置されて、互いの位置を軸線Ｏに沿った直線を挟んでずらしたことで、第１連絡路３ａからの内容液Ｍは、外側の第３連絡路３ｃを通って回転力を与えられたのち、第４連絡路３ｄに導入される。そして、第４連絡路３ｄでは、内容液Ｍにはさらに回転力が与えられる。このため、本発明に従う、噴霧ヘッドＨを使用すれば、第１連絡路３ａからの内容液Ｍにはスピン（回転力）がかかり易くなることで、さらに良好な噴霧パターンを実現することができる。従って、本実施形態では、内容液Ｍが偏って第４連通路３ｄに導入されて噴霧されることがない。
【００３１】
これに対し、第２連絡路３ｂを第４連絡路３ｄに対して周方向に整列する位置に配置して、互いの位置を軸線Ｏに沿った同一線上に配置した場合、内容液Ｍが偏って第４連絡路３ｄに導入される。
【００３２】
上述したところは、本発明の一形態を示したに過ぎず、特許請求の範囲内において、種々の変更を加えることができる。例えば、上述の形態は、ポンプユニットと共に構成されているが、本発明に従えば、噴出ヘッド単独に構成することができる。
【産業上の利用可能性】
【００３３】
本発明は、例えば、化粧水、整髪料等の化粧品、虫除け等の医薬品及び、美容・健康用品の分野に係る液体噴出器として採用することができる。
【符号の説明】
【００３４】
１      導入路
１ａ    縦方向流路
１ｂ    前後方向流路
２      案内路
３      連絡路
３ａ    第１連絡路
３ｂ    第２連絡路
３ｃ    第３連絡路
３ｄ    第４連絡路
３ｅ    第５連絡路
１０    ポンプ付ボトル容器
２０    容器本体
２１    口筒部
２２    肩部
２３    胴部
３０    ポンプユニット
３１    第１シリンダ
３２    装着キャップ
３３    シール部材
３４    スプリング
３５    ポンププランジャ
３５ａ  プランジャ本体
３５ａ1 プランジャ本体の先端部
３５ｂ  第１ピストン
３５ｃ  第２ピストン
３５ｄ  リブ
３６    第２シリンダ
３７    シリンダキャップ
３８    ステム
４０    メッシュリング
４１    リング部材
４２    メッシュ部材
５０    押圧部材
５０ｆ  押圧面
５０ｎ  窪み
５１    筒体部
５２    周壁
５３    隔壁
５４    窪みの内周面
５５    隆起部
５６    段部
６０    ノズルチップ
６０ａ  噴出口
６１    仕切壁
６２    周壁
６３    シール部
６４    凹み
７０    挿入部材
７０ａ  前端
７０ｂ  後端
７０ｎ  凹部
７１    仕切壁
７１ａ  膨出部
７２    周壁
７３    貫通孔
７４    長溝
７５    傾斜面
７６    放射溝（スピン溝）
７７    円筒溝
７８    環状溝
Ａ1     上端開口部
Ａ2     開口部
Ｃ1     固定手段
Ｃ2     固定手段
Ｃ3     固定手段
Ｈ      噴霧ヘッド（噴出ヘッド）
Ｏ1     第１ポンプ室
Ｏ2     窪みの中心
Ｒ1     第１ポンプ室
Ｒ2     第２ポンプ室
Ｒ3     充填空間
Ｖ1     逆止弁
【図１】
2014091062.tif 000003
【図２】
2014091062.tif 000004
【図３】
2014091062.tif 000005
【図４】
2014091062.tif 000006
【図５】
2014091062.tif 000007
【図６】
2014091062.tif 000008
【図７】
2014091062.tif 000009
【図８】
2014091062.tif 000010